(57)【要約】      （修正有）【課題】電子部品の互いに平行な２本のリード端子を、その変形を考慮することなく、接続装置の２つのコンタクトに容易に接続することができる中継用アダプタを提供する。【解決手段】中継用アダプタＣは、熱陰極蛍光ランプＤ(即ち、電子部品)の互いに平行な第１、第２のリード端子１、２が各々接続される第１の端子部の第１のコンタクト部と、第２の端子部の第２のコンタクト部とは互いに平行な二直線状に配置されている。一方、接続装置の第１、第２のコンタクトに接続される第１の端子部の第１のリード部１２と、第２の端子部の第２のリード部２２ａとは第１、第２のコンタクト部の並び方向と直交する一直線状に配置される。【選択図】図１
2008181674.tif 000002
【特許請求の範囲】
【請求項１】
互いに平行な第１、第２のリード端子を少なくとも有する電子部品と、第１、第２のコンタクトを少なくとも有する接続装置とを接続する中継用アダプタであって、
第１、第２の端子部を備えており、
第１、第２の端子部は、互いに平行な二直線状に各々配置され、第１、第２のリード端子に各々接続可能である第１、第２のコンタクト部と、
前記第１、第２のコンタクト部の並び方向に直交する一直線状に各々並べて配置され、第１、第２のコンタクトに各々接続可能である第１、第２のリード部と、
第１、第２のコンタクト部と第１、第２のリード部とを各々接続する第１、第２の接続部と、を有していることを特徴とする中継用アダプタ。
【請求項２】
請求項１記載の中継用アダプタにおいて、
第２の端子部は、第２の接続部が埋設される絶縁部を更に有しており、
第１の端子部の第１のリード部が前記絶縁部に取り付けられるようになっていることを特徴とする中継用アダプタ。
【請求項３】
請求項１記載の中継用アダプタにおいて、
第１、第２のコンタクト部は、第１、第２のリード端子を把持可能な形状となっていることを特徴とする中継用アダプタ。
【請求項４】
請求項１又は２記載の中継用アダプタにおいて、
第１、第２のコンタクト部及び第１、第２の接続部を収容するケースを更に備えており、
このケースの一端面には、電子部品が嵌合可能な凹部が設けられており、前記ケースの他端面には、第１、第２のリード部を外部に突出させる開口が設けられており、
前記凹部の底部には、前記電子部品の第１、第２のリード端子が挿入可能な第１、第２の孔部が前記ケースに収容された第１、第２のコンタクト部に臨むように設けられていることを特徴とする中継用アダプタ。
【請求項５】
請求項１記載の中継用アダプタが接続可能な接続装置であって、
中継用アダプタの第１、第２のリード部が挿脱可能な挿入口を有したボディと、
このボディの内部に、中継用アダプタの第１、第２のリード部の並び方向と同方向に並べて配設されており且つ前記第１、第２のリード部に各々接触可能な第１、第２のコンタクトと、
前記ボディに前記挿入口を開閉可能に設けられたシャッタと、を備えたことを特徴とする接続装置。
【請求項６】
請求項５記載の接続装置において、
少なくとも前記シャッタを移動操作するための部材であり且つ前記ボディに前記第１、第２のリード部の挿脱方向に移動自在に取り付けられた操作部材を更に備えており、
前記ボディの操作部材対向面には、前記第１、第２のリード部の挿脱方向と略直交する方向に向いた長孔であり且つ当該ボディを貫通する取付孔が設けられており、
前記操作部材のボディ対向面には、前記取付孔と斜めに交差し且つ前記シャッタが前記取付孔を通って嵌り込む案内部が設けられており、
前記シャッタは、前記操作部材の移動に応じて前記案内部の一端部から当該案内部の他端部にかけて移動することにより、前記取付孔内を前記挿入口を開放する開位置から前記挿入口を閉塞する閉位置にかけて移動するようになっていることを特徴とする接続装置。
【請求項７】
請求項６記載の接続装置において、
前記第１、第２のコンタクトは、中継用アダプタの第１、第２のリード部に各々接触可能な第１、第２の接続部を有しており、
前記第１、第２の接続部は、弾性変形可能な一対の第１、第２の可動アームを各々有し、
この一対の第１、第２の可動アームは、互いに離れる方向に屈曲又は湾曲した一対の第１、第２の屈曲部又は湾曲部と、この一対の第１、第２の屈曲部又は湾曲部の先端部に連続しており且つ当該第１、第２の屈曲部又は湾曲部と反対方向に屈曲又は湾曲した一対の第１、第２の把持部とを有しており、
前記ボディの操作部材対向面には、前記一対の第２の屈曲部又は湾曲部に各々対向する一対の開口部が設けられており、
前記操作部材は、前記一対の開口部に前記挿脱方向に移動自在に挿入される一対の片部材を有しており、
この一対の片部材は、前記シャッタが開位置に位置したときに、前記一対の第１、第２の屈曲部又は湾曲部を互いに近づく方向に各々押圧し、前記シャッタが閉位置に位置したときに、前記一対の第１、第２の屈曲部又は湾曲部の押圧を各々解除するようになっており、
前記一対の第１、第２の屈曲部又は湾曲部が前記一対の片部材に押圧されると、前記一対の第１、第２の把持部が互いに近づく方向に移動して交差し、その間に前記中継用アダプタの第１、第２のリード部を挿入するための第１、第２の空間が各々形成される一方、前記一対の片部材の押圧が解除されると、前記一対の第１、第２の把持部が互いに近づく方向に移動して前記第１、第２の空間が各々閉じ、前記一対の第１、第２の把持部の間で前記中継用アダプタの第１、第２のリード部が各々挟持されるようになっていることを特徴とする接続装置。
【請求項８】
請求項６記載の接続装置において、
前記第１、第２のコンタクトは、中継用アダプタの第１、第２のリード部に各々接触する第１、第２の接続部とを有しており、
前記第１、第２の接続部は、第１、第２の固定アームと、弾性変形可能な第１、第２の可動アームとを各々有しており、
この第１、第２の可動アームは、前記第１、第２の固定アームから離れる方向に屈曲又は湾曲した第１、第２の屈曲部又は湾曲部と、この第１、第２の屈曲部又は湾曲部の先端部に連続しており且つ当該第１、第２の屈曲部又は湾曲部と反対方向に屈曲又は湾曲した第１、第２の把持部とを有しており、
前記ボディの操作部材対向面には、前記第２の屈曲部又は湾曲部に対向する開口部が設けられており、
前記操作部材は、前記開口部に前記挿脱方向に移動自在に挿入される片部材を有しており、
この片部材は、前記シャッタが開位置に位置したときに、前記第１、第２の屈曲部又は湾曲部を前記第１、第２の固定アームに向けて各々押圧し、前記シャッタが閉位置に位置したときに、前記第１、第２の屈曲部又は湾曲部の押圧を各々解除するようになっており、
前記第１、第２の屈曲部又は湾曲部が前記片部材に押圧されると、前記第１、第２の把持部が前記第１、第２の固定アームに近づく方向に移動して当該第１、第２の固定アームに各々交差し、その間に前記中継用アダプタの第１、第２のリード部を挿入するための第１、第２の空間が各々形成される一方、前記片部材の押圧が解除されると、前記第１、第２の把持部が前記第１、第２の固定アームに近づく方向に移動して前記第１、第２の空間が各々閉じ、前記第１、第２の可動アームの第１、第２の把持部と前記第１、第２の固定アームとの間で前記中継用アダプタの第１、第２のリード部が各々挟持されるようになっていることを特徴とする接続装置。
【発明の詳細な説明】
【技術分野】
【０００１】
本発明は、熱陰極蛍光ランプ等の少なくとも２本のリード端子を有する電子部品と、少なくとも２つのコンタクトを有する接続装置とを電気接続する中継用アダプタ及びこれが接続される接続装置に関する。
【背景技術】
【０００２】
熱陰極蛍光ランプ等の電子部品としては、その端面から２本のリード端子が平行に突出しているものがある。この記熱陰極蛍光ランプの２本のリード端子は、従来、接続装置(ソケット)のボディ内に平行に配設された２つのコンタクトの一対のアームに各々把持され、これにより接続されていた(特許文献１参照)。
【０００３】
【特許文献１】特開２００５−３０２５３３号公報
【発明の開示】
【発明が解決しようとする課題】
【０００４】
ところが、前記熱陰極蛍光ランプの２本のリード端子はその強度が弱い。このため、２本のリード端子を接続装置の挿入口からの挿脱する際及び２つのコンタクトに接続又は離脱する際に前記挿入口の周縁部にぶつけたり、２本のリード端子に前記コンタクトの一対のアームにより想定していない負荷が掛かったりすることにより、当該２本のリード端子が容易に変形してしまう可能性を有している。
【０００５】
また、２本のリード端子が変形した場合には、互いに捩れの位置の関係になる。このように互いに捩れの位置の関係になった２本のリード端子を２つのコンタクトに各々把持させると、熱陰極蛍光ランプにストレスを与える原因になるだけでなく、２本のリード端子と２つのコンタクトとの接触信頼性が低下する原因となる。更に、２本のリード端子の捩れ角度が大きい場合(即ち、大きく変形した場合)には、２つのコンタクトに各々把持させることが不可能になる。
【０００６】
要するに、従来においては、熱陰極蛍光ランプの２本のリード端子が変形しないように注意を払いながら、慎重に接続装置の挿入口から挿脱すると共に、２つのコンタクトに接続又は離脱する必要があった。そのため、熱陰極蛍光ランプの２本のリード端子の接続装置への接続及びその離脱が非常に困難であった。
【０００７】
本発明は、上記事情に鑑みて創案されたものであって、その目的とするところは、電子部品の互いに平行な２本のリード端子を、その変形を考慮することなく、接続装置の２つのコンタクトに容易に接続することができる中継用アダプタ及びこれが接続される接続装置を提供することにある。
【課題を解決するための手段】
【０００８】
上記課題を解決するために、本発明の中継用アダプタは、互いに平行な第１、第２のリード端子を少なくとも有する電子部品と、第１、第２のコンタクトを少なくとも有する接続装置とを接続する中継用アダプタであって、第１、第２の端子部を備えており、第１、第２の端子部は、互いに平行な二直線状に各々配置され、第１、第２のリード端子に各々接続可能である第１、第２のコンタクト部と、前記第１、第２のコンタクト部の並び方向に直交する一直線状に各々並べて配置され、第１、第２のコンタクトに各々接続可能である第１、第２のリード部と、第１、第２のコンタクト部と第１、第２のリード部とを各々接続する第１、第２の接続部とを有している。
【０００９】
この中継用アダプタによる場合、互いに平行な二直線状に配置された第１、第２のコンタクト部と、この第１、第２のコンタクト部の並び方向に直交する一直線状に配置された第１、第２のリード部とが、前記第１、第２の接続部を介して接続されている。このため、電子部品の互いに平行な第１、第２のリード端子を前記第１、第２のコンタクト部に各々接続し、前記第１、第２のリード部を接続装置の第１、第２のコンタクトに各々接続することにより、前記第１、第２のリード端子を変形させることなく、接続装置の第１、第２のコンタクトに容易に接続することができる。
【００１０】
第２の端子部は、第２の接続部が埋設される絶縁部を更に有した構成とすることができる。この場合、第１の端子部の第１のリード部が前記絶縁部に取り付けられるようになっている。
【００１１】
このように第２の接続部を絶縁部に埋設し、この絶縁部に第１の端子部の第１のリード部を取り付けることにより、本中継用アダプタの接続装置の接続部分(即ち、第１、第２のリード部)の強度を、電子部品の第１、第２のリード端子の強度よりも強くすることができる。よって、前記接続部分を接続装置に取り付ける際の取り扱いが容易になる。
【００１２】
第１、第２のコンタクト部は、第１、第２のリード端子を把持可能な形状とすることができる。この場合、第１、第２のリード端子を第１、第２のコンタクト部に安定して接続させることができる。
【００１３】
前記中継用アダプタは、第１、第２のコンタクト部及び第１、第２の接続部を収容するケースを更に備えた構成とすることができる。この場合、前記ケースの一端面には、電子部品が嵌合可能な凹部が設けられており、前記ケースの他端面には、第１、第２のリード部を外部に突出させる開口が設けられており、前記凹部の底部には、前記電子部品の第１、第２のリード端子が挿入可能な第１、第２の孔部が前記ケースに収容された第１、第２のコンタクト部に臨むように設けられている。
【００１４】
この場合、前記電子部品の第１、第２のリード端子を前記ケースの凹部の第１、第２の孔部に挿入させると共に、前記電子部品を前記凹部に嵌合させることができる。即ち、前記電子部品が前記凹部に保持されるので、電子部品を中継用アダプタに接続した状態を安定させることができる。
【００１５】
本発明の接続装置は、上記中継用アダプタが接続可能な接続装置であって、中継用アダプタの第１、第２のリード部が挿脱可能な挿入口を有したボディと、中継用アダプタの第１、第２のリード部の並び方向と同方向に並べて配設されており且つ前記第１、第２のリード部に各々接触可能な第１、第２のコンタクトと、前記ボディに前記挿入口を開閉可能に設けられたシャッタと、を備えている。
【００１６】
このような接続装置による場合、前記シャッタにより前記挿入口を閉塞することができるので、塵や埃の侵入を防止することができる。
【００１７】
この接続装置は、少なくとも前記シャッタを移動操作するための部材であり且つ前記ボディに前記中継用アダプタの第１、第２のリード部の挿脱方向に移動自在に取り付けられた操作部材を更に備えた構成とすることができる。
【００１８】
この場合、前記ボディの操作部材対向面には、前記中継用アダプタの第１、第２のリード部の挿脱方向と略直交する方向に向いた長孔であり且つ当該ボディを貫通する取付孔が設けられており、前記操作部材のボディ対向面には、前記取付孔と斜めに交差し且つ前記シャッタが前記取付孔を通って嵌り込む案内部が設けられており、前記シャッタは、前記操作部材の移動に応じて前記案内部の一端部から当該案内部の他端部にかけて移動することにより、前記取付孔内を前記挿入口を開放する開位置から前記挿入口を閉塞する閉位置にかけて移動するようになっている。
【００１９】
従って、前記操作部材を移動操作すると、前記シャッタが前記案内部の一端部から当該案内部の他端部にかけて斜めに移動することにより、前記取付孔内を前記挿入口を開放する開位置から前記挿入口を閉塞する閉位置にかけて移動する。このため、シャッタの開閉を容易に行うことができる。
【００２０】
前記第１、第２のコンタクトは、中継用アダプタの第１、第２のリード部に各々接触可能な第１、第２の接続部を有する。
【００２１】
前記第１、第２の接続部は、弾性変形可能な一対の第１、第２の可動アームを各々有し、この一対の第１、第２の可動アームは、互いに離れる方向に屈曲又は湾曲した一対の第１、第２の屈曲部又は湾曲部と、この一対の第１、第２の屈曲部又は湾曲部の先端部に連続しており且つ当該第１、第２の屈曲部又は湾曲部と反対方向に屈曲又は湾曲した一対の第１、第２の把持部とを有した構成とすることができる。
【００２２】
この場合、前記ボディの操作部材対向面には、前記一対の第２の屈曲部又は湾曲部に各々対向する一対の開口部が設けられている。前記操作部材は、前記一対の開口部に前記挿脱方向に移動自在に挿入される一対の片部材を有している。この一対の片部材は、前記シャッタが開位置に位置したときに、前記一対の第１、第２の屈曲部又は湾曲部を互いに近づく方向に各々押圧し、前記シャッタが閉位置に位置したときに、前記一対の第１、第２の屈曲部又は湾曲部の押圧を各々解除するようになっており、前記一対の第１、第２の屈曲部又は湾曲部が前記一対の片部材に押圧されると、前記一対の第１、第２の把持部が互いに近づく方向に移動して交差し、その間に前記中継用アダプタの第１、第２のリード部を挿入するための第１、第２の空間が各々形成される一方、前記一対の片部材の押圧が解除されると、前記一対の第１、第２の把持部が互いに近づく方向に移動して前記第１、第２の空間が各々閉じ、前記一対の第１、第２の把持部の間で前記中継用アダプタの第１、第２のリード部が各々挟持されるようになっている。
【００２３】
このように操作部材を操作するだけで、前記シャッタの開閉と、前記第１、第２のコンタクトの一対の第１、第２の可動アームの一対の第１、第２の把持部の間の第１、第２の空間の開閉とを同時に行うことができる。このため、前記シャッタが前記中継用アダプタの第１、第２のリード部の挿入口への挿入の邪魔になることがなく、且つシャッタの開閉とは別に、一対の第１、第２の把持部の間の第１、第２の空間の開閉のための操作が必要になることもない。よって、防塵のためにシャッタを設けたとしても中継用アダプタの第１、第２のリード部を簡単に第１、第２のコンタクトに接続することができる。
【００２４】
或いは  第１、第２の接続部が、第１、第２の固定アームと、弾性変形可能な第１、第２の可動アームとを各々有し、この第１、第２の可動アームは、前記第１、第２の固定アームから離れる方向に屈曲又は湾曲した第１、第２の屈曲部又は湾曲部と、この第１、第２の屈曲部又は湾曲部の先端部に連続しており且つ当該第１、第２の屈曲部又は湾曲部と反対方向に屈曲又は湾曲した第１、第２の把持部とを有した構成とすることができる。
【００２５】
この場合、前記ボディの操作部材対向面には、前記第２の屈曲部又は湾曲部に対向する開口部が設けられており、前記操作部材は、前記開口部に前記挿脱方向に移動自在に挿入される片部材を有しており、この片部材は、前記シャッタが開位置に位置したときに、前記第１、第２の屈曲部又は湾曲部を前記第１、第２の固定アームに向けて各々押圧し、前記シャッタが閉位置に位置したときに、前記第１、第２の屈曲部又は湾曲部の押圧を各々解除するようになっており、前記第１、第２の屈曲部又は湾曲部が前記片部材に押圧されると、前記第１、第２の把持部が前記第１、第２の固定アームに近づく方向に移動して当該第１、第２の固定アームに各々交差し、その間に前記中継用アダプタの第１、第２のリード部を挿入するための第１、第２の空間が各々形成される一方、前記片部材の押圧が解除されると、前記第１、第２の把持部が前記第１、第２の固定アームに近づく方向に移動して前記第１、第２の空間が各々閉じ、前記第１、第２の可動アームの第１、第２の把持部と前記第１、第２の固定アームとの間で前記中継用アダプタの第１、第２のリード部が各々挟持されるようになっている。
【００２６】
このように操作部材を操作するだけで、前記シャッタの開閉と、前記第１、第２のコンタクトの第１、第２の可動アームの第１、第２の把持部と第１、第２の固定アームとの間の第１、第２の空間の開閉とを同時に行うことができるので、シャッタが中継用アダプタの第１、第２のリード部の挿入口への挿入の邪魔になることがなく、且つシャッタの開閉とは別に、第１、第２の可動アームの第１、第２の把持部と第１、第２の固定アームとの間の第１、第２の空間の開閉のための操作が必要になることもない。よって、防塵のためにシャッタを設けたとしても中継用アダプタの第１、第２のリード部を簡単に第１、第２のコンタクトに接続することができる。
【発明の効果】
【００２７】
本発明の中継用アダプタによる場合、互いに平行な二直線状に配置された第１、第２のコンタクト部に電子部品の互いに平行な第１、第２のリード端子を接続する一方、前記一直線上に配置された第１、第２のリード部に接続装置の第１、第２のコンタクトを接続することにより、前記第１、第２のリード端子を変形させることなく、接続装置の第１、第２のコンタクトに容易に接続することができる。
【発明を実施するための最良の形態】
【００２８】
以下、本発明の実施の形態に係る中継用アダプタについて図面を参照しつつ説明する。図１は本発明の実施の形態に係る中継用アダプタの使用状態を示す概略的斜視図であって、(ａ)が熱陰極蛍光ランプを接続する前の状態を示す図、(ｂ)が熱陰極蛍光ランプを接続した状態を示す図、図２は(ａ)が同アダプタの概略的正面図、(ｂ）が同アダプタの概略的背面図、(ｃ)が同アダプタの概略的右側面図、(ｄ）が同アダプタの概略的左側面図、(ｅ）が同アダプタの概略的平面図、(ｆ）が同アダプタの概略的底面図、図３は同アダプタの概略的分解斜視図、図４は図１の(ｂ）に示す同アダプタ及び電子部品の概略的Ａ−Ａ断面図、図５は(ａ)が図１の(ｂ）に示す同アダプタ及び電子部品の概略的Ｂ−Ｂ断面図、(ｂ）が図５(ａ）の部分拡大図、図６は同アダプタの第２の端子部の組立工程を示す概略的斜視図であって、(ａ)が同端子部のピン及びリード片の取り付け前の状態を示す図、(ｂ）が同端子部のピン及びリード片の一部を絶縁部に埋設した状態を示す図である。
【００２９】
図１乃至図３に示す中継用アダプタＣは、熱陰極蛍光ランプＤ(即ち、電子部品)の互いに平行な第１、第２のリード端子１、２が各々接続される第１、第２の端子部１０、２０と、この第１、第２の端子部１０、２０を収容するケース３０とを備えている。以下、詳しく説明する。
【００３０】
第１の端子部１０は、図３及び図４に示すように、第１のコンタクト部１１と、第１のリード部１２と、第１のコンタクト部１１と第１のリード部１２とを接続する第１の接続部１３とを有している。
【００３１】
第１のコンタクト部１１は、一対の第１のクランプ片１１ａ、１１ｂを有する。この一対の第１のクランプ片１１ａ、１１ｂが電子部品Ｄの第１のリード端子１を把持する。これにより第１のコンタクト部１１が第１のリード端子１と接続される。
【００３２】
第１のリード部１２は、一部が長さ方向に渡って切り欠かれた円筒状の部位である。この第１のリード部１２の内径は、第２の端子部２０の絶縁部２３の取付部２３ｂの外径よりも若干大きくなっている。即ち、第１のリード部１２に、その切欠き部から第２の端子部２０の絶縁部２３の取付部２３ｂが挿入され、当該取付部２３ｂが嵌まり込むようになっている。このようにして第１のリード部１２が絶縁部２３の取付部２３ｂに取り付けられる。
【００３３】
一方、第１のリード部１２の外径は、第２の端子部２０の第２のリード部２２ａの外径と同じになっている。従って、第１のリード部１２が絶縁部２３の取付部２３ｂに取り付けられた状態で、第１のリード部１２の外周面と第２のリード部２２ａの外周面とが面一になる。
【００３４】
第１の接続部１３は、第１のコンタクト部１１と第１のリード部１２とを繋ぐ平面視略Ω状の部位である。このように第１の接続部１３の中央部が外側に折り曲げられることにより、第２の端子部２０の絶縁部２３の固定部２３ａとの干渉を回避している。
【００３５】
第２の端子部２０は、図２、図３、図５及び図６に示すように、リード片２１と、このリード片２１に取り付けられるピン２２と、リード片２１の接続片２１ｂとピン２２の接続アーム２２ｂとが埋設される絶縁部２３とを有している。
【００３６】
リード片２１は、図６(ａ)に示すように、第２のコンタクト部２１ａと、この第２のコンタクト部２１ａの後端部に一体的に設けられた接続片２１ｂとを有する。
【００３７】
第２のコンタクト部２１ａは、一対の第２のクランプ片２１ａ１、２１ａ２を有する。この一対の第２のクランプ片２１ａ１、２１ａ２が、図４に示すように、電子部品Ｄの第２のリード端子２を把持する。これにより第２のコンタクト部２１ａが第２のリード端子２と接続される。
【００３８】
接続片２１ｂは、図６(ａ)に示すように、平面視略Ｌ字状の板体である。この接続片２１ｂの後端面には、大径孔部２１ｂ１と、この大径孔部２１ｂ１よりも径が小さい小径孔部２１ｂ２とが設けられている。
【００３９】
ピン２２は、図６(ａ)に示すように、第２のリード部２２ａと、この第２のリード部２２ａの先端部に連続する接続アーム２２ｂとを有している。
【００４０】
第２のリード部２２ａは円柱状の部位である。この第２のリード部２２ａの外径が熱陰極蛍光ランプＤの第１、第２のリード端子１、２の外径よりも大きくなっている。
【００４１】
接続アーム２２ｂは、第２のリード部２２ａよりも外径が小さい略円柱状体であって、接続片２１ｂと共に第２の接続部を構成する。この接続アーム２２ｂの先端部には、円板部２２ｂ１と、この円板部２２ｂ１の先端面に同心円状に設けられた円柱状のカシメ部２２ｂ２とが設けられている。
【００４２】
カシメ部２２ｂ２は接続片２１ｂの小径孔部２１ｂ２の径よりも若干小さくなっている。即ち、カシメ部２２ｂ２が接続片２１ｂの大径部２１ｂ１から挿入され、当該接続片２１ｂの小径孔部２１ｂ２に圧入されることにより、ピン２２がリード片２１に接続される。
【００４３】
円板部２２ｂ１は、カシメ部２２ｂ２が接続片２１ｂの大径部２１ｂ１から挿入された際に、当該接続片２１ｂの後端面に当接する。これにより、カシメ部２２ｂ２が大径部２１ｂ１に入り込みすぎないようにしている。
【００４４】
絶縁部２３は、図３、図４、図６(ｂ)に示すように、固定部２３ａと、この固定部２３ａに連続する取付部２３ｂと、この取付部２３ｂに連続する間隙部２３ｃとを有した絶縁性の樹脂体である。
【００４５】
固定部２３ａには、接続アーム２２ｂのカシメ部２２ｂ２が接続片２１ｂの小径孔部２１ｂ２に圧入された状態で、当該接続アーム２２ｂの先端部(即ち、円板部２２ｂ１及びカシメ部２２ｂ２)及び接続片２１ｂの後端部が埋設される。これにより固定部２３ａが接続片２１ｂの後端部及び接続アーム２２ｂの先端部を固定する。
【００４６】
取付部２３ｂは、接続アーム２２ｂの中間部が埋設される円柱状の部位である。この取付部２３ｂの外径は熱陰極蛍光ランプＤの第１、第２のリード端子１、２の外径よりも大きく、且つ第１の端子部１０の第１のリード部１２の内径よりも若干小さくなっている。このため、取付部２３ｂに第１の端子部１０の第１のリード部１２が嵌合可能になっている。
【００４７】
間隙部２３ｃは、図２、図４及び図５に示すように、接続アーム２２ｂの後端部が埋設される円柱状の部位である。この間隙部２３ｃの外径は、第２のリード部２２ａの外径と同じである。間隙部２３ｃは、取付部２３ｂに第１のリード部１２が取り付けられた状態で、第１のリード部１２と第２のリード部２２ａとの間に位置する。このとき、間隙部２３ｃの外周面は、第１、第２のリード部１２ｂ、２２ａの外周面と面一となる。
【００４８】
ケース３０は、略矩形状の上面開放の箱体であるケース本体３１と、このケース本体３１の上面に置かれる蓋体３２とを有している。
【００４９】
ケース本体３１の長さ方向の一端面には、図１、図２(ａ)及び図４に示すように、熱陰極蛍光ランプＤが嵌まり込む円形の凹部３１ａが設けられている。この凹部３１ａの底部には、熱陰極蛍光ランプＤの第１、第２のリード端子１、２が各々挿入される第１、第２の孔部３１ａ１、３１ａ２が設けられている。この第１、第２の孔部３１ａ１、３１ａ２の外周面は、外側に向けて拡径するテーパ面となっており、第１、第２のリード端子１、２を挿入し易くしている。
【００５０】
ケース本体３１の長さ方向の他端面の中央部には、図２(ｂ)、図３、図４及び図５に示すように、略矩形状の開口３１ｂが設けられている。
【００５１】
また、ケース本体３１の幅方向の両端面の下端部には、図２及び図３に示すように、一対の係止凹部３１ｃが各々設けられている。
【００５２】
更に、ケース本体３１の底板部上の長さ方向の一端部には、図３及び図４に示すように、中央のガイド板３１ｄと、この中央のガイド板３１ｄの両側に配設された一対の両側のガイド板３１ｅとが設けられている。この中央のガイド板３１ｄと一方側のガイド板３１ｅの間に、第１のコンタクト部１１が収容され、ガイドされる。また、中央のガイド板３１ｄと他方側のガイド板３１ｅの間に、第２のコンタクト部２１ａが収容され、ガイドされる。
【００５３】
また、ケース本体３１の幅方向の一方の内側面の長さ方向の他端部には、絶縁部２３の固定部２３ａの位置決め用の一対の突起部３１ｆが幅方向の他方の内側面に向けて設けられている。この一対の突起部３１ｆと、ケース本体３１の他方の内側面との間に絶縁部２３の固定部２３ａが収容される。
【００５４】
蓋体３２は、天板部３２ａと、この天板部３２ａの幅方向の両端から下方に向けて各々延びた一致の係止アーム３２ｂとを有している。この係止アーム３２ｂが係止凹部３１ｃに係止されることにより、天板部３２ａがケース本体３１の上面開口を塞ぐ。
【００５５】
このような構成の中継用アダプタＣは、以下のようにして組み立てられる。まず、第２の端子部２０のピン２２のカシメ部２２ｂ２を、リード片２１の接続片２１ｂの大径部２１ｂ１に挿入し、小径孔部２１ｂ２に圧入する。その後、接続片２１ｂの後端部及びピン２２の接続アーム２２ｂの先端部を絶縁部２３の固定部２３ａに、接続アーム２２ｂの中間部を当該絶縁部２３の取付部２３ｂに、接続アーム２２ｂの後端部を間隙部２３ｃにインサート成形する。これにより、接続片２１ｂの後端部及びピン２２の接続アーム２２ｂの先端部が絶縁部２３の固定部２３ａに、接続アーム２２ｂの中間部が当該絶縁部２３の取付部２３ｂに、接続アーム２２ｂの後端部が間隙部２３ｃに埋設される。
【００５６】
その後、第１の端子部１０の第１のリード部１２を絶縁部２３の取付部２３ｂに嵌合させる。このように第１の端子部１０の第１のリード部１２が取付部２３ｂに嵌合することにより、図４に示すように、第１、第２のコンタクト部１１、２１ａが互いに平行な二直線状に配置される一方、第１、第２のリード部１２、２２ａが、第１、第２のコンタクト部１１、２１ａの並び方向に直交する一直線状に各々並べて配置される。
【００５７】
その後、第１の端子部１０の第１のコンタクト部１１をケース本体３１内の中央のガイド板３１ｄと一方側のガイド板３１ｅの間に、第２の端子部２０の第２のコンタクト部２１ａをケース本体３１内の中央のガイド板３１ｄと他方側のガイド板３１ｅの間に収容する。すると、第１、第２の端子部１０、２０の第１、第２のコンタクト部１１、２１ａがケース本体３１の第１、第２の孔部３１ａ１、３１ａ２に臨む。
【００５８】
これと共に、第２の端子部２０の絶縁部２３の固定部２３ａ及び第１の端子部１０の第１の接続部１３の凸部を一対の突起部３１ｆとケース本体３１の他方の内側面との間に収容し、当該絶縁部２３の取付部２３ｂ及び第１の端子部１０の第１の接続部１３の後端部をケース本体３１の開口３１ｂに挿入する。これにより、第１、第２の端子部１０、２０の第１、第２のリード部１２、２２ａがケース本体３１の開口３１ｂから当該ケース本体３１の外側に突出する。
【００５９】
その後、蓋体３２の４つの係止アーム３２ｂをケース本体３１の４つの係止凹部３１ｃに各々係止させ、蓋体３２をケース本体３１に取り付ける。
【００６０】
以下、このようにして組み立てられた中継用アダプタが接続される接続装置Ｆについて図面を参照しつつ説明する。図７は本発明の実施の形態に係る接続装置の概略的正面図、図８は同装置の概略的分解斜視図、図９は同装置の図７の概略的Ｇ−Ｇ断面図、図１０は同装置の操作部材を示す図であって、(ａ)が概略的正面図、(ｂ)が概略的背面図、(ｃ）が概略的側面図、(ｄ)が概略的平面図、(ｅ）が概略的底面図、図１１は同装置の概略的斜視図であって、(ａ)が中継用アダプタ接続前の状態を示す図、(ｂ）が中継用アダプタの接続後の状態を示す図、図１２が同装置の図１１の模式的Ｈ−Ｈ断面図であって、(ａ)が操作部材のスライド移動前の状態を示す図、(ｂ)が操作部材のスライド移動後の状態を示す図、(ｃ)が電子部品のリード端子が挿入された状態を示す図、図１３は同装置の操作部材を透過させた状態の概略的背面図であって、(ａ)が操作部材のスライド移動前の状態を示す図、(ｂ)が操作部材のスライド移動後の状態を示す図、(ｃ）が電子部品のリード端子が挿入された状態を示す図、図１４が図１１の概略的Ｉ−Ｉ断面図であって、(ａ)が操作部材のスライド移動後の状態を示す図、(ｂ)が電子部品のリード端子が挿入された状態を示す図、図１５は同装置の第１のコンタクトの設計変更例を示す概略的斜視図であって、(ａ)が第１のアダプタ用接続部が２つの固定アームと可動アームとを有したものを示す図、(ｂ）が第１のアダプタ用接続部が固定アームと可動アームとを有したものを示す図である。
【００６１】
図７及び図８に示す接続装置Ｆは、中継用アダプタＣを介して熱陰極蛍光ランプＤが接続されるソケットであって、中継用アダプタＣの第１、第２のリード部１２、２２ａが各々接続される第１、第２のコンタクト１００ａ、１００ｂと、この第１、第２のコンタクト１００ａ、１００ｂを収容し且つ中継用アダプタＣの第１、第２のリード部１２、２２ａが上下方向に挿脱可能な一対の挿入口２２１を有したボディ２００と、ボディ２００の一対の挿入口２２１を開閉するためのシャッタ３００と、ボディ２００に取り付けられ、シャッタ３００の開閉を操作する操作部材４００とを備えている。以下、詳しく説明する。
【００６２】
ボディ２００は、図８に示すように、側面視略Ｌ字状の本体部２１０と、この本体部２１０に設けられた略矩形状のガイド部２２０とを有している。
【００６３】
ガイド部２２０の上面の中央部には凸部が設けられており、この凸部に挿入口２２１が設けられている。この挿入口２２１の幅寸法が中継用アダプタＣの第１、第２のリード部１２、２２ａの外径よりも若干大きく設定されている。この挿入口２２１の幅方向の両縁部には、当該挿入口２２１内に第１、第２のリード部１２、２２ａを案内するためのテーパ面が設けられている。
【００６４】
ガイド部２２０の内部には、図１２及び図１４に示すように、第１、第２のコンタクト１００ａ、１００ｂを中継用アダプタＣの第１、第２のリード部１２、２２ａの並び方向と同方向に並べて収容する収容部２２２が設けられている。この収容部２２２は略矩形状の空間であって、本体部２１０の下端部の開放部２１３と連通している。収容部２２２の下端部の幅方向の両端面の間には、当該収容部２２２の下端部を２つに区切る仕切壁２２２ａが設けられている。この仕切壁２２２ａと収容部２２２の長さ方向の両端面との間の寸法は、第１、第２のコンタクト１００ａ、１００ｂの第１、第２の中間部１３０ａ、１３０ｂａ、１３０ｂの幅寸法よりも各々若干小さくなっている。
【００６５】
即ち、第１のコンタクト１００ａの第１の中間部１３０ａが仕切壁２２２ａと収容部２２２の長さ方向の一端面との間に圧入される。また、第２のコンタクト１００ｂの第２の中間部１３０ｂが仕切壁２２２ａと収容部２２２の長さ方向の他端面との間に圧入される。
【００６６】
また、ガイド部２２０の幅方向の両端面には、図８、図９及び図１３に示すように、操作部材４００を中継用アダプタＣの挿脱方向に移動自在にガイドするための一対のガイド突起２２３が設けられている。
【００６７】
ガイド部２２０の長さ方向の壁部(即ち、操作部材対向面)の挿入口２２１の下側部分には、図１２及び図１３に示すように、シャッタ３００が前記挿脱方向と直交する左右方向に移動自在に嵌まり込む取付孔２２４が設けられている。また、ガイド部２２０の前記壁部の両端部には、操作部材４００の一対の片部材４３０が挿入される一対の開口部２２５が設けられている。更に、ガイド部２２０の壁部の下端部の中央部には、操作部材４００を係止するための一対の係止凸部２２６が設けられている。
【００６８】
一対の開口部２２５は、前記挿脱方向に向いた矩形状の長孔であって、収容部２２２内の第２のコンタクト１００ｂの一対の第２の屈曲部１１１ｂ１、１１２ｂ１に対向している。この開口部２２５の上端部は、図１２及び１３に示すように、その内側部が操作部材４００の片部材４３０の形状に合わせて傾斜している。
【００６９】
取付孔２２４は、図１２、図１３及び図１４に示すように、ガイド部２２０の前記壁部を貫通し且つ前記左右方向に向いた長孔である本体孔部２２４ａと、この本体孔部２２４ａの上部に連続する当該本体孔部２２４ａよりも幅狭なガイド凹部２２４ｂとを有している。
【００７０】
本体孔部２２４ａはシャッタ３００の第１のランナ部３２０が通され、当該第１のランナ部３２０を前記左右方向に移動自在にガイドする。一方、ガイド凹部２２４ｂはシャッタ３００の第２のランナ部３３０を前記左右方向に移動自在にガイドする。
【００７１】
一方、本体部２１０の上端部の中央部には、図８に示すように、一対の挿入口２２１と通じる一対の収容溝２１１と、この一対の収容溝２１１と一対の挿入口２２１とを区切る区切り壁２１２とが設けられている。
【００７２】
区切り壁２１２には、挿入口２２１に連続するスリット２１２ａが前記挿脱方向に向けて設けられている。
【００７３】
このスリット２１２ａは、その幅寸法が挿入口２２１と同じに設定されており、中継用アダプタＣの第１、第２のリード部１２、２２ａが挿脱可能になっている。スリット２１２ａの上端部の幅方向の両縁部には、リード端子１２を案内するためのテーパ面がガイド部２２０の挿入口２２１の両縁部のテーパ面と連続して設けられている。また、スリット２１２ａの深さ寸法は、第１のリード部１２が収容部２２２内の第１のコンタクト１００ａの第１の可動アーム１１１ａ、１１２ｂに挟持され、第２のリード部２２ａが収容部２２２内の第２のコンタクト１００ｂの第２の可動アーム１１１ｂ、１１２ｂに挟持される位置より若干深くなっている。
【００７４】
収容溝２１１は、その幅寸法が中継用アダプタＣのケース３０の幅寸法よりも若干大きく設定された略Ｕ字状の溝であって、当該ケース３０が挿脱可能になっている。
【００７５】
本体部２１０の下端部には、図１２及び図１４に示すように、収容部２２２と連通する開放部２１３が設けられている。この開放部２１３は収容部２２２に収容された第１、第２のコンタクト１００ａ、１００ｂの２つの第１、第２の基板用接続部１２０ａ、１２０ｂを下方向に突出させるための孔である。この開放部２１３の外側の両縁部には、基板Ｊの図示しない係止孔に係止される２つの係止爪２１４が下方向に向けて設けられている。      
【００７６】
操作部材４００は、図８及び図１０に示すように、前面及び下面が開放された略矩形状の箱体である移動本体部４１０と、この移動本体部４１０の幅方向の両端部の角部を切り欠くことにより形成された一対のレール溝４２０と、移動本体部４１０の内面の一対のレール溝４２０の間に設けられた一対の片部材４３０と、移動体本体部４１０の内面の一対の片部材４３０の間の上側位置に設けられた案内部４４０と、移動本体部４１０の下端部に設けられた係止片４５０と、ガイド部２２０の上面の凸部を露出させるための切欠き部４６０とを有している。
【００７７】
レール溝４２０にはガイド部２２０のガイド突起２２３が嵌まり込む。これにより、移動本体部４１０が、図１３(ａ)及び図１３(ｃ)に示す初期位置(即ち、ガイド突起２２３がレール溝４２０の最上に位置する位置)から図１３(ｂ)に示す押圧位置(即ち、ガイド突起２２３がレール溝４２０の最下に位置する位置)にかけてガイド部２２０にスライド自在に取り付けられる。移動本体部４１０が初期位置に位置したときには、図１２(ａ)及び図１２(ｃ)に示すように、当該移動体本体部４１０の切欠き部４６０の両縁部がガイド部２２０の上面の凸部の両側部に当接する。これにより、移動体本体部４１０が初期位置で位置規制される。一方、移動本体部４１０が押圧位置に位置したときには、図１２(ｂ)に示すように、一対の片部材４３０の上端部のテーパ面がガイド部２２０の開口部２２５の上端部の傾斜面に当接する。これにより、移動体本体部４１０が押圧位置で位置規制される。
【００７８】
係止片４５０は、図１０、図１３及び図１４に示すように、下端部がガイド部２２０に向けて凸となっており、移動本体部４１０が初期位置に位置したとき、ガイド部２２０の一対の係止凸部２２６に係止される。
【００７９】
一対の片部材４３０の上端部にはその間の間隔が漸次減少するテーパ面が設けられている。この一対の片部材４３０は、一対の開口部２２５に前記挿脱方向に移動自在に挿入されている。
【００８０】
移動本体部４１０が押圧位置に位置したときには、一方の片部材４３０が、収容部２２２内の第１、第２のコンタクト１００ａ、１００ｂの一方側の第１、第２の可動アーム１１１ａ、１１１ｂの第１、第２の屈曲部１１１ａ１、１１１ｂ１を内側に向けて押圧し、他方の片部材４３０が、収容部２２２内の第１、第２のコンタクト１００ａ、１００ｂの他方側の第１、第２の可動アーム１１２ａ、１１２ｂの第１、第２の屈曲部１１２ａ１、１１２ｂ１を内側に向けて押圧する。
【００８１】
移動本体部４１０が初期位置に位置したときには、一方の片部材４３０が一方側の第１、第２の可動アーム１１１ａ、１１１ｂの第１、第２の屈曲部１１１ａ１、１１１ｂ１に干渉しない位置に移動し、他方の片部材４３０が他方側の第１、第２の可動アーム１１２ａ、１１２ｂの第１、第２の屈曲部１１２ａ１、１１２ｂ１に干渉しない位置に移動する。
【００８２】
案内部４４０は、図１０、図１２及び図１３に示すように、ガイド部２２０の取付孔２２４に対して斜めに交差した傾斜溝部４４１と、この傾斜溝部４４１の上端(即ち、案内部４４０の他端部)に連続する矩形状の孔部４４２と、傾斜溝部４４１の下端(即ち、案内部４４０の一端部)に連続する矩形状の凹部４４３とを有している。
【００８３】
孔部４４２は、移動体本体部４１０が初期位置に位置したとき、ガイド部２２０の挿入口２２１に対向する位置から前記左右方向の一端側に若干位置ずれした位置に設けられている。孔部４４２は貫通孔であり、シャッタ３００の第３のランナ部３４０の位置を確認するための覗き孔となっている。凹部４４３は、移動本体部４１０が押圧位置に位置したとき、ガイド部２２０の挿入口２２１に対向する位置から前記左右方向の他端側に若干位置ずれした位置に設けられている。傾斜溝部４４１は、シャッタ３００の第３のランナ部３４０を孔部４４２から凹部４４３にかけて案内する溝である。
【００８４】
シャッタ３００は、図８及び図１４に示すように、ガイド部２２０の挿入口２２１を開閉するための板状のシャッタ本体３１０と、このシャッタ本体３１０に直角に設けられた板状の第１のランナ部３２０と、この第１のランナ部３２０上に設けられた凸状の第２のランナ部３３０と、第１、第２のランナ部３２０、３３０の背面に設けられた円柱状の第３のランナ部３４０とを有している。
【００８５】
シャッタ本体３１０は第１のランナ部３２０の他端側に偏在している。第１のランナ部３２０はガイド部２２０の本体孔部２２４ａに移動自在に嵌まり込む。第２のランナ部３３０はガイド部２２０のガイド凹部２２４ｂに移動自在に嵌まり込む。第３のランナ部３４０は操作部材４００の案内部４４０に移動自在に嵌まり込む。
【００８６】
即ち、第３のランナ部３４０が案内部４４０の孔部４４２に位置したときには、図１２(ａ)、図１２(ｃ）、図１３(ａ）及び図１３(ｃ）に示すように、第１、第２のランナ部３２０、３３０はガイド部２２０の本体孔部２２４ａ、ガイド凹部２２４ｂの長さ方向の一端部に位置し、シャッタ本体３１０がガイド部２２０の挿入口２２１を閉塞する閉位置に位置する。一方、第３のランナ部３４０が案内部４４０の凹部４４３に位置したときには、図１２(ｂ)及び図１３(ｂ）に示すように、第１、第２のランナ部３２０、３３０はガイド部２２０の本体孔部２２４ａ、ガイド凹部２２４ｂの長さ方向の他端部に位置し、シャッタ本体３１０がガイド部２２０の挿入口２２１を開放する開位置に位置する。
【００８７】
第１のコンタクト１００ａは、図８に示すように、導電性を有した板バネであって、第１のアダプタ用接続部１１０ａ(特許請求の範囲の請求項７記載の第１の接続部に相当する。)と、２つの第１の基板用接続部１２０ａと、第１のアダプタ用接続部１１０ａと第１の基板用接続部１２０ａとの間に位置する第１の中間部１３０ａとを有する。
【００８８】
第１の中間部１３０ａは、矩形状の板状体であって、その両端部には一対の第１の係止突起１３１ａが各々設けられている。この一対の第１の係止突起１３１ａがボディ１００の収容部２２２の仕切壁２２２ａと収容部２２２の長さ方向の一端面との間に圧入される。これにより、第１のコンタクト１００ａが収容部２２２に保持される。
【００８９】
第１の基板用接続部１２０ａは、第１の中間部１３０ａの下端に連続し且つ略つ字状に湾曲している。この第１の基板用接続部１２０ａの高さ寸法は、図１２及び図１４に示すように、第１の中間部１３０ａがボディ２００の収容部２２２で保持された状態で、ボディ２００の開放部２１３から突出する高さとなっている。
【００９０】
第１のアダプタ用接続部１１０ａは、第１の中間部１３０ａの上端に間を空けて設けられた弾性変形可能な一方側の２つの第１の可動アーム１１１ａと、第１の中間部１３０ａの上端の第１の可動アーム１１１ａの間に配設された弾性変形可能な他方側の第１の可動アーム１１２ａとを有する。
【００９１】
一方側の第１の可動アーム１１１ａは、略く字状に折り曲げられた第１の屈曲部１１１ａ１と、この第１の屈曲部１１１ａ１の先端に連続しており且つ第１の屈曲部１１１ａ１と反対方向に向けて折り曲げられた第１の把持部１１１ａ２とを有している。
【００９２】
第１の屈曲部１１１ａ１は、その上側の直線部が基板Ｊと略平行になるように折り曲げられている。この第１の屈曲部１１１ａ１の前記上側の直線部の長さ寸法は、初期状態で他方側の第１の可動アーム１１２ａの第１の屈曲部１１２ａ１の上側の直線部と交差しないような長さとなっている。
【００９３】
他方側の第１の可動アーム１１２ａは、第１の屈曲部１１１ａ１と反対方向に向けて略逆く字状に折り曲げられた第１の屈曲部１１２ａ１と、この第１の屈曲部１１２ａ１の先端に連続しており且つ当該第１の屈曲部１１２ａ１と反対方向に向けて折り曲げられた第１の把持部１１２ａ２とを有している。
【００９４】
第１の屈曲部１１２ａ１は、その上側の直線部が基板Ｊと略平行になるように折り曲げられている。この第１の屈曲部１１２ａ１の前記上側の直線部の長さ寸法は、初期状態で一方側の第１の可動アーム１１１ａの第１の屈曲部１１１ａ１の前記上側の直線部と交差しないような長さとなっている。
【００９５】
このような第１の屈曲部１１１ａ１が操作部材４００の一方の片部材４３０に内側に向けて押圧され、第１の屈曲部１１２ａ１が操作部材４００の他方の片部材４３０に内側に向けて押圧されると、第１の把持部１１１ａ２と第１の把持部１１２ａ２とが互いに交差し、第１の把持部１１１ａ２と第１の把持部１１２ａ２との間に中継用アダプタＣの第１のリード部１２が挿入可能な空間α１が生じるようになっている。
【００９６】
第２のコンタクト１００ｂは第１のコンタクト１００ａと同じものである。この第２のコンタクト１００ｂが第１のコンタクト１００ａと異なる点は、収容部２２２に収容される向きである。よって、重複する部分については説明を省略し、その相違点について説明する。
【００９７】
第２のコンタクト１００ｂの第２の中間部１３０ｂは、その一対の第２の係止突起１３１ｂが、第２の基板用接続部１２０ｂを第１のコンタクト１００ａの第１の基板用接続部１２０ａと反対方向に向けた状態で、ボディ１００の収容部２２２の仕切壁２２２ａと当該収容部２２２の長さ方向の他端面との間に、圧入される。即ち、第２のコンタクト１００ｂは、第１のコンタクト１００ａと逆向きに、収容部２２２にその長さ方向(即ち、中継用アダプタＣの第１、第２のリード部１２、２２ａの並び方向)に、当該第１のコンタクト１００ａと並べて保持される。
【００９８】
このため、第２の屈曲部１１２ｂ１が操作部材４００の一方の片部材４３０に内側に向けて押圧され、第２の屈曲部１１１ｂ１が操作部材４００の他方の片部材４３０に内側に向けて押圧される。このとき、第２の把持部１１２ｂ２と第２の把持部１１１ｂ２とが互いに交差し、第２の把持部１１２ｂ２と第２の把持部１１１ｂ２との間に中継用アダプタＣの第２のリード部２２ａが挿入可能な空間α２が生じるようになっている。
【００９９】
以下、このような構成の接続装置Ｆの組み立て手順について説明する。まず、第１のコンタクト１００ａの第１の中間部１３０ａを収容部２２２の長さ方向の一端面と仕切壁２２２ａとの間に位置合わせをしつつ、圧入する。そして、第２のコンタクト１００ｂの第２の中間部１３０ｂを収容部２２２の長さ方向の他端面と仕切壁２２２ａとの間に位置合わせをしつつ、圧入する。このようにして第１、第２のコンタクト１００ａ、１００ｂを収容部２２２にその長さ方向に並べて収容させる。
【０１００】
そして、ボディ２００のガイド部２２０の取付孔２２４の本体孔部２２４ａにシャッタ３００のシャッタ本体３１０をその先端面から位置合わせしつつ挿入する。すると、シャッタ３００の第１のランナ部３２０が取付孔２２４の本体孔部２２４ａに、当該シャッタ３００の第２のランナ部３３０が当該取付孔２２４のガイド凹部２２４ｂに嵌まり込む。
【０１０１】
その後、操作部材４００の一対の片部材４３０をボディ２００のガイド部２２０の一対の開口部２２５に位置合わせをしつつ、収容部２２２内の第１のコンタクト１００ａの第１、第２の屈曲部１１１ａ１、１１２ａ１及び第２のコンタクト１００ｂの第１、第２の屈曲部１１１ｂ１、１１２ｂ１に当てないように挿入する。
【０１０２】
そして、シャッタ３００を閉位置に位置させた状態で、操作部材４００をボディ２００のガイド部２２０に押し当てる。すると、操作部材４００の幅方向の両端部がガイド部２２０のガイド突起２２３を弾性変形して乗り越える。これにより、ガイド部２２０のガイド突起２２３が操作部材４００のレール溝４２０に嵌まり込む。これと共に、シャッタ３００の第３のランナ部３４０が操作部材４００の案内部４４０の孔部４４２に嵌まり込む。
【０１０３】
このように組み立てられた接続装置Ｆは次のように基板Ｊに実装される。まず、接続装置Ｆのボディ２００の係止爪２１４を基板Ｊの図示しない係止孔に挿入し、係止させる。すると、ボディ２００の開放部２１３から突出した第１、第２のコンタクト１００ａ、１００ｂの２つの第１、第２の基板用接続部１２０ａ、１２０ｂが基板Ｊの図示しない回路パターンに押し付けられ、弾性接触する。これにより、第１、第２のコンタクト１００ａ、１００ｂが基板Ｊの回路パターンに電気的に接続される。
【０１０４】
以下、熱陰極蛍光ランプＤを中継用アダプタＣに接続する手順及び当該中継用アダプタＣを接続装置Ｆに接続する手順について説明する。
【０１０５】
まず、図９に示すように、熱陰極蛍光ランプＤの第１、第２のリード端子１、２を中継用アダプタＣのケース３０の第１、第２の孔部３１ａ１、３１ａ２に位置合わせをしつつ挿入する。すると、第１のリード端子１がケース３０内の第１のコンタクト部１１の一対の第１のクランプ片１１ａ、１１ｂの間に圧入され、これらに把持される。これと共に、第２のリード端子２がケース３０内の第２のコンタクト部２１ａの一対のクランプ片２１ａ１、２１ａ２の間に圧入され、これらに把持される。このとき、熱陰極蛍光ランプＤをケース３０の凹部３１ａに嵌め込む。このようにして熱陰極蛍光ランプＤが中継用アダプタＣに接続される。
【０１０６】
その後、操作部材４００を初期位置から押圧位置にかけて移動させる。すると、操作部材４００の一対の係止片４５０がガイド部２２０の一対の係止凸部２２６を乗り越える。      
【０１０７】
このとき、図１２(ｂ）及び図１３(ｂ）に示すように、操作部材４００の一方の片部材４３０が、第１のコンタクト１００ａの一方側の２つの第１の可動アーム１１１ａの第１の屈曲部１１１ａ１と、第２のコンタクト１００ｂの他方側の第２の可動アーム１１２ｂの第２の屈曲部１１２ｂ１とを押圧する。これと共に、他方の片部材４３０が、第１のコンタクト１００ａの他方側の第１の可動アーム１１２ａの第１の屈曲部１１２ａ１と、第２のコンタクト１００ｂの一方側の２つの第２の可動アーム１１１ｂの第２の屈曲部１１１ｂ１とを押圧する。
【０１０８】
すると、第１のコンタクト１００ａの一方側の２つの第１の可動アーム１１１ａの第１の屈曲部１１１ａ１と、他方側の第１の可動アーム１１２ａの第１の屈曲部１１２ａ１とが互いに近づく方向に移動する。そして、一方側の第１の可動アーム１１１ａの２つの第１の把持部１１１ａ２と、他方側の第１の可動アーム１１２ａの第１の把持部１１２ａ２とが互いに近づく方向に移動して交差し、そして互いに離れる方向に移動し、その間に空間α１を形成する。
【０１０９】
これと共に、第２のコンタクト１００ｂの他方側の第２の可動アーム１１２ｂの第２の屈曲部１１２ｂ１と、一方側の２つの第２の可動アーム１１１ｂの第２の屈曲部１１１ｂ１とが互いに近づく方向に移動する。そして、他方側の第２の可動アーム１１２ｂの第２の把持部１１２ｂ２と、一方側の２つの第２の可動アーム１１１ｂの第２の把持部１１１ｂ２とが互いに近づく方向に移動して交差し、そして互いに離れる方向に移動し、その間に空間α２を形成する。
【０１１０】
また、操作部材４００の初期位置から押圧位置への移動に伴って、シャッタ３００の第３のランナ部３４０が、図１３(ａ)、図１３(ｂ）、図１４(ａ)及び図１４(ｂ）に示すように、操作部材４００の案内部４４０の孔部４４２から、傾斜溝部４４１に案内され、凹部４４３に移動する。このとき、シャッタ３００の第１、第２のランナ部３２０、３３０がボディ２００の取付孔２２４の本体孔部２２４ａ、ガイド凹部２２４ｂの上端面に当接しつつ、当該取付孔２２４の一端部から他端部にかけて前記左右方向に移動する。このようにしてシャッタ３００のシャッタ本体３１０がボディ２００の挿入口２２１を閉塞する閉位置から開放する開位置にかけて移動する。
【０１１１】
その後、中継用アダプタＣをボディ２００の収容溝２１１に上方から挿入すると共に、当該中継用アダプタＣの第１、第２のリード部１２、２２ａを上方からボディ２００の挿入口２２１に挿入する。すると、中継用アダプタＣの第１のリード部１２がボディ２００の区切り壁２１２のスリット２１２ａに案内される。
【０１１２】
そして、第１のリード部１２が、ボディ２００の収容部２２２内の第１のコンタクト１００ａの２つの第１の把持部１１１ａ２と、第１の把持部１１２ａ２との間の空間α１に挿入される。これと共に、第２のリード部２２ａがボディ２００の収容部２２２内の２つの第２の把持部１１１ｂ２と、第２の把持部１１２ｂ２との間に空間α２に挿入される。
【０１１３】
その後、操作部材４００を押圧位置から初期位置にかけて移動させる。すると、操作部材４００の係止片４５０がガイド部２２０の係止凸部２２６に係止される。
【０１１４】
このとき、操作部材４００の一方の片部材４３０が、第１のコンタクト１００ａの一方側の２つの第１の可動アーム１１１ａの第１の屈曲部１１１ａ１及び第２のコンタクト１００ｂの他方側の第２の可動アーム１１２ｂの第２の屈曲部１１２ｂ１に接触しない位置に移動する。すると、一方の片部材４３０の２つの第１の屈曲部１１１ａ１及び第２の屈曲部１１２ｂ１に対する押圧が解除される。
【０１１５】
この押圧の解除により、一方側の第１の可動アーム１１１ａの２つの第１の屈曲部１１１ａ１と、他方側の第１の可動アーム１１２ａの第２の屈曲部１１２ｂ１が自身の復帰力により、互いに離れる方向に移動する。すると、一方側の第１の可動アーム１１１ａの２つの第１の把持部１１１ａ２と、他方側の第１の可動アーム１１２ａの第１の把持部１１２ａ２とが互いに近づく方向に移動し、その間の空間α１が閉じる。これにより、第１のリード部１２が２つの第１の把持部１１１ａ２と第１の把持部１１２ａ２との間で挟持される。このようにして第１のリード部１２が第１のコンタクト１００ａに電気的に接続される。
【０１１６】
これと共に、他方の片部材４３０が、第１のコンタクト１００ａの他方側の第１の可動アーム１１２ａの第１の屈曲部１１２ａ１及び第２のコンタクト１００ｂの一方側の２つの第２の可動アーム１１１ｂの第２の屈曲部１１１ｂ１に接触しない位置に移動する。すると、他方の片部材４３０の第１の屈曲部１１２ａ１及び２つの第２の屈曲部１１１ｂ１に対する押圧が解除される。
【０１１７】
この押圧の解除により、他方側の第２の可動アーム１１２ｂの第２の屈曲部１１２ｂ１と、一方側の２つの第２の可動アーム１１１ｂの第２の屈曲部１１１ｂ１とが自身の復帰力により、互いに離れる方向に移動する。すると、他方側の第２の可動アーム１１２ｂの第２の把持部１１２ｂ２と、一方側の２つの第２の可動アーム１１１ｂの第２の把持部１１１ｂ２とが互いに近づく方向に移動し、その間の空間α２が閉じる。これにより、第２のリード部２２ａが第２の把持部１１２ｂ２と、２つの第２の把持部１１１ｂ２との間で挟持される。このようにして第２のリード部２２ａが第２のコンタクト１００ｂに電気的に接続される。
【０１１８】
また、操作部材４００の押圧位置から初期位置への移動に伴って、シャッタ３００の第３のランナ部３４０が、図１３(ｂ)、図１３(ｃ)、図１４(ｂ)及び図１４(ｃ）に示すように、操作部材４００の案内部４４０の凹部４４３から、傾斜溝部４４１に案内され、孔部４４２に移動する。このとき、シャッタ３００の第１、第２のランナ部３２０、３３０がボディ２００の取付孔２２４の本体孔部２２４ａ、ガイド凹部２２４ｂの下端面に当接しつつ、当該取付孔２２４の他端部から一端部にかけて前記左右方向に移動する。このようにしてシャッタ３００のシャッタ本体３１０がボディ２００の挿入口２２１を開放する開位置から閉塞する閉位置にかけて移動する。
【０１１９】
中継用アダプタＣの第１、第２のリード部１２、２２ａを取り外すときには、操作部材４００を再び初期位置から押圧位置に移動させる。すると、操作部材４００の係止片４５０がガイド部２２０の係止凸部２２６を乗り越える。
【０１２０】
このとき、操作部材４００の一方の片部材４３０が、第１のコンタクト１００ａの一方側の２つの第１の可動アーム１１１ａの第１の屈曲部１１１ａ１と、第２のコンタクト１００ｂの他方側の第２の可動アーム１１２ｂの第２の屈曲部１１２ｂ１とを押圧する。これと共に、他方の片部材４３０が、第１のコンタクト１００ａの他方側の第１の可動アーム１１２ａの第１の屈曲部１１２ａ１と、第２のコンタクト１００ｂの一方側の２つの第２の可動アーム１１１ｂの第２の屈曲部１１１ｂ１とを押圧する。
【０１２１】
すると、第１のコンタクト１００ａの一方側の２つの第１の可動アーム１１１ａの第１の屈曲部１１１ａ１と、他方側の第１の可動アーム１１２ａの第１の屈曲部１１２ａ１とが互いに近づく方向に移動する。そして、一方側の第１の可動アーム１１１ａの２つの第１の把持部１１１ａ２と、他方側の第１の可動アーム１１２ａの第１の把持部１１２ａ２とが互いに離れる方向に移動する。これにより、２つの第１の把持部１１１ａ２と第１の把持部１１２ａ２との間の空間α１が開く。すると、第１のリード部１２が２つの第１の把持部１１１ａ２及び第１の把持部１１２ａ２による挟持から解除される。
【０１２２】
これと共に、第２のコンタクト１００ｂの他方側の第２の可動アーム１１２ｂの第２の屈曲部１１２ｂ１と、一方側の２つの第２の可動アーム１１１ｂの第２の屈曲部１１１ｂ１とが互いに近づく方向に移動する。そして、他方側の第２の可動アーム１１２ｂの第２の把持部１１２ｂ２と、一方側の２つの第２の可動アーム１１１ｂの第２の把持部１１１ｂ２とが互いに離れる方向に移動する。これにより、第２の把持部１１２ｂ２と、２つの第２の把持部１１１ｂ２との間の空間α２が開く。すると、第２のリード部２２ａが第２の把持部１１２ｂ２及び２つの第２の把持部１１１ｂ２による挟持から解除される。
【０１２３】
また、操作部材４００の初期位置から押圧位置への移動に伴って、シャッタ３００の第３のランナ部３４０が、図１３(ａ)、図１３(ｂ）、図１４(ａ)及び図１４(ｂ）に示すように、操作部材４００の案内部４４０の孔部４４２から、傾斜溝部４４１に案内され、凹部４４３に移動する。このとき、シャッタ３００の第１、第２のランナ部３２０、３３０がボディ２００の取付孔２２４の本体孔部２２４ａ、ガイド凹部２２４ｂの上端面に当接しつつ、当該取付孔２２４の一端部から他端部にかけて前記左右方向に移動する。このようにしてシャッタ３００のシャッタ本体３１０がボディ２００の挿入口２２１を閉塞する閉位置から開放する開位置にかけて移動する。
【０１２４】
その後、中継用アダプタＣの第１、第２のリード部１２、２２ａをボディ２００の挿入口２２１から引き抜く。
【０１２５】
このように中継用アダプタＣを介して熱陰極蛍光ランプＤと接続装置Ｆとを接続した場合、熱陰極蛍光ランプＤの互いに平行な第１、第２のリード端子１、２を中継用アダプタＣの互いに平行な二直線状に配置された第１、第２のコンタクト部１１、２１ａに接続し、当該中継用アダプタＣの第１、第２のコンタクト部１１、２１ａの並び方向に直交する一直線状に配置された第１、第２のリード部１２、２２ａを接続装置Ｆの第１、第２のコンタクト１００ａ、１００ｂに各々接続することにより、熱陰極蛍光ランプＤの第１、第２のリード端子１、２を変形させることなく、接続装置Ｆの第１、第２のコンタクト１００ａ、１００ｂに容易に接続することができる。
【０１２６】
しかも、中継用アダプタＣの第２の端子部２０は、ピン２２の接続アーム２２ｂ及び接続片２１ｂの後端部が絶縁部２３により埋設されている。この絶縁部２３及びピン２２の第２のリード部２２ａの外径は、熱陰極蛍光ランプＤの第１、第２のリード端子１、２の外径よりも大きくなっている。このため、中継用アダプタＣの第１、第２のリード部１２、２２ａを接続装置Ｆの第１、第２のコンタクト１００ａ、１００ｂに接続させるに当たり、当該第１、第２のリード部１２、２２ａを接続装置Ｆの挿入口２２１の縁部に当てたり、第１、第２のコンタクト１００ａ、１００ｂから想定しない負荷が掛かったりしたとしても、熱陰極蛍光ランプＤの第１、第２のリード端子１、２の如く変形する恐れがない。よって、中継用アダプタＣの第１、第２のリード部１２、２２ａの取り扱いが容易になる。
【０１２７】
また、接続装置Ｆは、ボディ２００の挿入口２２１をシャッタ３００で閉塞することができるので、塵や埃の侵入を防止することができる。このため、前記塵や埃により第１、第２のコンタクト１００ａ、１００ｂの導通不良やショートが生じるのを防止することができる。
【０１２８】
しかも、操作部材４００をスライド移動させるだけで、第１のコンタクト１００ａの第１の可動アーム１１１ａ、１１２ａの中継用アダプタＣの第１のリード部１２の挟持及びその解除と、第２のコンタクト１００ｂの第２の可動アーム１１１ｂ、１１２ｂの中継用アダプタＣの第２のリード部２２ａの挟持及びその解除と、シャッタ３００の開閉とを同時に行うことができる。このため、当該シャッタ３００が中継用アダプタＣの第１、第２のリード部１２、２２ａの挿脱の際に邪魔になることがなく、且つシャッタ３００の開閉操作を第１、第２のリード部１２、２２ａの挟持及びその解除の操作と別に行う必要もない。よって、防塵のためにシャッタ３００を設けたとしても、第１、第２のリード部１２、２２ａの取り付け及び取り外しを容易に行うことができ、中継用アダプタＣの取り付け及び取り外しを容易に行うことができる。
【０１２９】
更に、第１のコンタクト１００ａの第１の可動アーム１１１ａ、１１２ａ及び第２のコンタクト１００ｂの第１、第２の可動アーム１１１ｂ、１１２ｂの弾性力は、中継用アダプタＣの第１、第２のリード部１２、２２ａの挟持に利用されるのみである。よって、可動アームと、ボディの内壁面との間で端子を挟持するタイプの従来の接続装置の如く、前記弾性力に起因する負荷によりボディ１００の変形等が生じるのを防止することができる。よって、長期間の使用に適した接続装置とすることができる。
【０１３０】
また、ボディ２００の係止爪２１４を基板Ｊの係止孔に係止させることにより、ボディ２００の開放部２１３から突出した第１、第２のコンタクト１００ａ、１００ｂの第１、第２の基板用接続部１２０ａ、１２０ｂが基板Ｊの回路パターンに弾性的に接触するようになっている。このため、半田接続を用いることなく、第１、第２のコンタクト１００ａ、１００ｂを基板Ｊに簡単に接続することができ、その結果、低コスト化を図ることができる。
【０１３１】
なお、上記中継用アダプタは、第１、第２の端子部を有し、この第１、第２の端子部が、互いに平行な二直線状に各々配置され、第１、第２のリード端子に各々接続可能である第１、第２のコンタクト部と、前記第１、第２のコンタクト部の並び方向に直交する一直線状に各々並べて配置され、第１、第２のコンタクトに各々接続可能である第１、第２のリード部と、第１、第２のコンタクト部と第１、第２のリード部とを各々接続する第１、第２の接続部とを有する限りどのような設計変更例をしても構わない。
【０１３２】
第１の端子部１０の第１のコンタクト部１１については、熱陰極蛍光ランプＤ等の電子部品のリード端子に接触し、電気的に接続されるものであればどのようなものを用いても良い。第２の端子部２０の第２のコンタクト部２１ａも同様である。
【０１３３】
第１、第２のコンタクト部１１、２１ａは、第１のリード部１２が絶縁部２３の取付部２３ｂに嵌合することにより、互いに平行な二直線状に配置されるとしたが、これに限定されるものではない。例えば、第１、第２のコンタクト部１１、２１ａがケースに収容された状態で互いに平行な二直線状に配置されるようにしても良い。
【０１３４】
第１のリード部１２は、円弧状であるとしたが、その形状は任意に変更可能である。また、第２のリード部２２ａも円柱状であるとしたが、これに限定されるものではなく、任意に設計変更可能である。例えば、第２のリード部２２ａを板状、角柱状等にした場合、第１のリード部１２も第２のリード部２２ａに直線状に位置する板状、角柱状等とすることができる。
【０１３５】
第１の接続部１３の形状は任意に設計変更可能である。
【０１３６】
第２の端子部２０については、リード片２１とピン２２とを有するとしたが、これに限定されるものではない。第１の端子部１０の如く一つの部材とすることも当然可能である。リード片２１とピン２２との接続構造は、大径部２１ｂ１及び小径孔部２１ｂ２とカシメ部２２ｂ２との組み合わせだけに限定されるものではなく、周知の係止手段、係合手段又は圧入手段等により代用することができる。
【０１３７】
絶縁部２３については、設けるか否かは任意である。絶縁部２３を設ける場合には、少なくとも取付部２３ｂを有していれば良い。取付部２３ｂについては、第２のコンタクト部２１ａと第２のリード部２２ａとの間を接続する第２の接続部の少なくとも一部を埋設するものであれば良い。
【０１３８】
なお、上記接続装置は、前記中継用アダプタの第１、第２のコンタクト部が挿脱可能な挿入口を有したボディと、このボディの内部に、中継用アダプタの第１、第２のコンタクト部の並び方向と同方向に並べて配設されており且つ前記第１、第２のコンタクト部に各々接触可能な第１、第２のコンタクトと、前記ボディに前記挿入口を開閉可能に設けられたシャッタと、を備えている限りどのような設計変更を行ってもかまわない。
【０１３９】
第１のコンタクト１００ａの第１のアダプタ用接続部１１０ａについては、中継用アダプタの第１のリード部に接触し、電気的に接続されるものであればどのようなものを用いても構わない。
【０１４０】
また、第１のアダプタ用接続部１１０ａが前記第１のリード部を挟持する構成とする場合には、上記実施例の如く３点支持の構成とすることもできるし、一方側の第１の可動アーム１１１ａと、他方側の第１の可動アーム１１２ａとを用いた２点支持の構成とすることもできる。
【０１４１】
更に、第１のアダプタ用接続部１１０ａは、第１の可動アームのみの組み合わせだけでなく、第１の可動アームと第１の固定アームとを組み合わせることもできる。例えば、図１５(ａ)に示すように、第１のアダプタ用接続部を、２つの板状の第１の固定アームと、その間に配設された弾性変形可能な第１の可動アームとを有した構成とすることができるし、図示しないが２つの弾性変形可能な第１の可動アームと、その間に配設された板状の第１の固定アームとを有した３点支持の構成とすることができる。勿論、図１５(ｂ)に示すように、弾性変形可能な第１の可動アームと、板状の第１の固定アームとを有した２点支持の構成とすることもできる。
【０１４２】
これらの場合、前記第１の可動アームの第１の屈曲部が操作部材４００の片部材４３０に押圧されると、当該第１の把持部が前記第１の固定アームに近づく方向に移動して当該第１の固定アームに交差し、その間に中継用アダプタの第１のコンタクト部を挿入するための空間が形成される一方、片部材４３０の押圧が解除されると、前記第１の把持部が前記第１の固定アームに近づく方向に移動して前記空間が閉じ、前記第１の可動アームの第１の把持部と前記第１の固定アームとの間で前記第１のコンタクト部が挟持されるようになっている。なお、第１の可動アーム又は第１の固定アームを４つ以上有する４点以上の支持の構成とすることが可能であることはいう迄もない。
【０１４３】
前記第１の屈曲部及び第１の把持部については、湾曲形状とすることも可能である。第１の第１の屈曲部及び第１の把持部は、屈曲形状のもの及び湾曲形状のものを組み合わせることもできる。
【０１４４】
第１の基板用接続部１２０ａについては、基板に電気的に接続し得るものであれば、どのような設計変更を行ってもかまわない。例えば、基板にスルーホールが設けられている場合、第１の基板用接続部を前記スルーホールに挿入可能な直線状の板状体とすることができるし、第１の基板用接続部を基板の回路パターンに接触し表面実装可能な鉤状体とすることもできるし、第１の基板用接続部を基板の回路パターン又はその他の電子部品等と接続するためのリード線が圧着可能な形状とすることもできる。また、第１の基板用接続部を別体とし、前記第１のアダプタ用接続部に接触させるように設計変更することも一応可能である。
【０１４５】
第１の中間部１３０ａについては設けるか否かは任意である。
【０１４６】
なお、第２のコンタクト１００ｂは、第１のコンタクト１００ａと同様に設計変更可能である。よって、その説明は省略する。
【０１４７】
ボディ２００については、上記第１、第２のコンタクトを中継用アダプタの第１、第２のコンタクト部の並び方向と同方向に並べて収容し得るものであれば、どのように設計変更してもかまわない。従って、ボディ２００は、第１、第２のコンタクト１００ａ、１００ｂを一組として、これを複数組並べて収容するように設計変更することも可能である。
【０１４８】
ボディ２００の係止爪２１４については、ボディ２００の開放部２１３の縁部に第１、第２の基板用接続部１２０ａ、１２０ｂの突出方向に向けて設けられており且つ基板Ｊに係止可能なものであれば、どのようなものを用いてもかまわない。また、係止爪２１４は基板Ｊの係止孔に係止されるとしたが、当該基板Ｊの端部や溝部に係止されるようにしてもかまわないし、基板Ｊ上に設けた別部品に係止させることも可能である。また、基板Ｊに係止爪を設ける一方、ボディ２００に前記係止爪が係止される係止部を設けることも一応可能である。なお、係止爪２１４が省略可能であることは言うまでもない。
【０１４９】
ボディ２００の取付孔２２４については、挿入口２２１の下方又は上方位置に挿脱方向と略直交する方向に設けられた長孔又は長溝(詳しくは後述する。)であって、シャッタ３００を開位置から閉位置にかけて案内するものである限り、任意に設計変更することが可能である。前記取付孔を挿入口の上方位置に設ける場合には、当該挿入口の縁部に壁を設け、当該壁部に設けるようにすれば良い。
【０１５０】
シャッタ３００については、ボディの挿入口を開閉し得るものであれば、どのようなものを用いてもかまわない。また、シャッタ３００の第１のランナ部３２０については、ボディの取付孔に前記左右方向に移動自在になっている限り、どのような形状のものを用いても良い。シャッタ３００の第２のランナ部３３０については、第１のランナ部３２０のみで前記取付孔内を安定して移動可能である場合には、設けなくても良い。シャッタ３００の第３のランナ部３４０については、操作部材４００の案内部４４０に移動自在に嵌まり込むものであれば、その形状は任意である。
【０１５１】
操作部材４００については、ボディに挿脱方向に移動自在に設けられており且つ上記取付孔と斜めに交差する案内部を有する限りどのような設計変更を行ってもかまわない。即ち、前記操作部材をボディ２００の収容部２２２の内部に設けることも可能である。この場合、操作部材の案内部は当該操作部材を貫通しており、前記取付孔が前記ボディの操作部材対向面に長溝として設けられている。なお、案内部及び取付孔は双方貫通孔とすることも勿論可能である。
【０１５２】
また、前記操作部材をシャッタ操作専用の操作部材とする場合には、別途、第１、第２のコンタクトの第１、第２の屈曲部を押圧する押圧手段を設けるようにしても良い。例えば、ボディの第１、第２のコンタクトの第１、第２の屈曲部の上側位置の部分に開口を設け、棒状の押圧手段を挿入することにより前記第１、第２の屈曲部を押圧するようにしても良い。また、また、防塵の観点からは好ましくないが、前記第１、第２の屈曲部を前記ボディの両端部から露出させ、手で操作可能にすることも一応可能である。
【０１５３】
操作部材４００の一対の片部材４３０については、第１、第２のコンタクトの第１、第２の屈曲部を押圧し得るものであれば、どのような形状のものを用いても構わない。
【０１５４】
なお、電子部品としては、熱陰極蛍光ランプＤを例に挙げて説明したが、これに限定されるものではなく、上記中継用アダプタは、互いに平行な２つのリード端子を備えたその他の電子部品に適応可能であることはいう迄もない。
【図面の簡単な説明】
【０１５５】
【図１】本発明の実施の形態に係る中継用アダプタの使用状態を示す概略的斜視図であって、(ａ)が熱陰極蛍光ランプを接続する前の状態を示す図、(ｂ)が熱陰極蛍光ランプを接続した状態を示す図である。
【図２】(ａ)が同アダプタの概略的正面図、(ｂ）が同アダプタの概略的背面図、(ｃ)が同アダプタの概略的右側面図、(ｄ）が同アダプタの概略的左側面図、(ｅ）が同アダプタの概略的平面図、(ｆ）が同アダプタの概略的底面図である。
【図３】同アダプタの概略的分解斜視図である。
【図４】図１の(ｂ）に示す同アダプタ及び電子部品の概略的Ａ−Ａ断面図である。
【図５】(ａ)が図１の(ｂ）に示す同アダプタ及び電子部品の概略的Ｂ−Ｂ断面図、(ｂ）が図５(ａ）の部分拡大図である。
【図６】同アダプタの第２の端子部の組立工程を示す概略的斜視図であって、(ａ)が同端子部のピン及びリード片の取り付け前の状態を示す図、(ｂ）が同端子部のピン及びリード片の一部を絶縁部に埋設した状態を示す図である。
【図７】本発明の実施の形態に係る接続装置の概略的正面図である。
【図８】同装置の概略的分解斜視図である。
【図９】同装置の図７の概略的Ｇ−Ｇ断面図である。
【図１０】同装置の操作部材を示す図であって、(ａ)が概略的正面図、(ｂ)が概略的背面図、(ｃ）が概略的側面図、(ｄ)が概略的平面図、(ｅ）が概略的底面図である。
【図１１】同装置の概略的斜視図であって、(ａ)が中継用アダプタ接続前の状態を示す図、(ｂ）が中継用アダプタの接続後の状態を示す図である。
【図１２】同装置の図１１の模式的Ｈ−Ｈ断面図であって、(ａ)が操作部材のスライド移動前の状態を示す図、(ｂ)が操作部材のスライド移動後の状態を示す図、(ｃ)が電子部品のリード端子が挿入された状態を示す図である。
【図１３】同装置の操作部材を透過させた状態の概略的背面図であって、(ａ)が操作部材のスライド移動前の状態を示す図、(ｂ)が操作部材のスライド移動後の状態を示す図、(ｃ）が電子部品のリード端子が挿入された状態を示す図である。
【図１４】図１１の概略的Ｉ−Ｉ断面図であって、(ａ)が操作部材のスライド移動後の状態を示す図、(ｂ)が電子部品のリード端子が挿入された状態を示す図である。
【図１５】同装置の第１のコンタクトの設計変更例を示す概略的斜視図であって、(ａ)が第１のアダプタ用接続部が２つの固定アームと可動アームとを有したものを示す図、(ｂ）が第１のアダプタ用接続部が固定アームと可動アームとを有したものを示す図である。
【符号の説明】
【０１５６】
Ｃ          中継用アダプタ
１０        第１の端子部
１１        第１のコンタクト部
１２        第１のリード部
１３        第２の接続部
２０        第２の端子部
２１ａ      第２のコンタクト部
２１ｂ      接続片(第２の接続部の一部)
２２ａ      第２のリード部
２２ｂ      接続アーム(第２の接続部の一部)
２３        絶縁部
３０        ケース
３１ａ      凹部
３１ａ１    第１の孔部
３１ａ２    第２の孔部
３１ｂ      開口
Ｆ          接続装置
１００ａ    第１のコンタクト部
１１０ａ    第１のアダプタ用接続部
１１１ａ    一方側の第１の可動アーム
１１１ａ１  第１の屈曲部
１１１ａ２  第１の把持部
１１２ａ    他方側の第１の可動アーム
１１２ａ１  第１の屈曲部
１１２ａ２  第１の把持部
１００ｂ    第２のコンタクト部
１１０ｂ    第１のアダプタ用接続部
１１１ｂ    一方側の第１の可動アーム
１１１ｂ１  第１の屈曲部
１１１ｂ２  第１の把持部
１１２ｂ    他方側の第１の可動アーム
１１２ｂ１  第１の屈曲部
１１２ｂ２  第１の把持部
２００      ボディ
２２１      挿入口
２２４      取付孔
２２５      開口部
３００      シャッタ
４００      操作部材
４２０      案内部
４３０      片部材
α１、α２  空間
【図１】
2008181674.tif 000003
【図２】
2008181674.tif 000004
【図３】
2008181674.tif 000005
【図４】
2008181674.tif 000006
【図５】
2008181674.tif 000007
【図６】
2008181674.tif 000008
【図７】
2008181674.tif 000009
【図８】
2008181674.tif 000010
【図９】
2008181674.tif 000011
【図１０】
2008181674.tif 000012
【図１１】
2008181674.tif 000013
【図１２】
2008181674.tif 000014
【図１３】
2008181674.tif 000015
【図１４】
2008181674.tif 000016
【図１５】
2008181674.tif 000017